(57)【要約】【課題】トレイにおいて先行のシートの下に後続のシートが潜り込むことを抑制できるシート処理装置を提供することである。【解決手段】処理部は、用紙Ｐに対して折り曲げ処理を施す。トレイ２２には、処理部から出力されてくるシート用紙が載置される。搬送部２３は、トレイ２２上の用紙Ｐを右から左に搬送する。制御部は、同一のジョブにおいて２つのシートが順にトレイ２２に出力されてきた場合には、先行のシートＰと後続のシートＰとが一部において重なった状態で左右方向に並ぶように搬送部２３を駆動させる。制御部は、異なるジョブにまたがって２つのシートが順にトレイ２２に出力されてきた場合には、先行のシートと後続のシートとが重ならない状態で左右方向に並ぶように搬送部２３を駆動させる。【選択図】図６
2012126519.tif 000002
【特許請求の範囲】
【請求項１】
シートに対して折り曲げ処理を施す処理手段と、
前記処理手段から出力されてくる前記シートが載置されるトレイと、
前記トレイ上の前記シートを所定方向に搬送する搬送手段と、
同一のジョブにおいて第１のシートと第２のシートとが順に前記トレイに出力されてきた場合には、該第１のシートと該第２のシートとが一部において重なった状態で前記所定方向に並ぶように前記搬送手段を駆動させると共に、異なるジョブにまたがって第１のシートと第２のシートとが順に該トレイに出力されてきた場合には、該第１のシートと該第２のシートとが重ならない状態で該所定方向に並ぶように該搬送手段を駆動させる制御手段と、
を備えていること、
を特徴とするシート処理装置。
【請求項２】
前記制御手段は、前記処理手段から前記シートが前記トレイに出力されてくる度に、前記搬送手段に該トレイ上の前記シートを搬送させ、
異なるジョブにまたがって前記第１のシートと前記第２のシートとが順に前記トレイに出力されてきた場合に該第２のシートが出力されてくるまでに前記搬送手段が該第１のシートを搬送する距離は、同一のジョブにおいて前記第１のシートと前記第２のシートとが順に該トレイに出力されてきた場合に該第２のシートが出力されてくるまでに該搬送手段が該第１のシートを搬送する距離よりも長いこと、
を特徴とする請求項１に記載のシート処理装置。
【請求項３】
前記処理手段において前記シートが出力される排出口に設けられ、該シートを検知する第１の検知手段と、
前記トレイに出力されてきた前記シートの後端を検知する第２の検知手段と、
を更に備えており、
前記制御手段は、前記第１の検知手段が前記第１のシートを検知したことに応じて前記搬送手段に前記トレイ上の前記シートの搬送を開始させると共に、前記第２の検知手段が該第１のシートの後端を検知したことに応じて該トレイ上の該第１のシートを含む前記シートの搬送を停止させ、該第１のシートとは異なるジョブにおいて前記処理手段が前記第２のシートに対して折り曲げ処理を施す場合には、該第１のシートを含む前記シートを該搬送手段に所定距離だけ搬送させること、
を特徴とする請求項１又は請求項２のいずれかに記載のシート処理装置。
【請求項４】
前記トレイにおいて前記第２の検知手段よりも前記所定方向に設けられている第３の検知手段であって、異なるジョブにおいて順に出力されてきた前記第１のシートと前記第２のシートとの間の隙間を検知する第３の検知手段を、
更に備えており、
前記制御手段は、前記第３の検知手段が前記第１のシートと前記第２のシートとの間の隙間を検知した場合には、前記搬送手段の動作を停止させること、
を特徴とする請求項３に記載のシート処理装置。
【請求項５】
前記処理手段は、前記シートを出力するための複数の排出口を有していること、
を特徴とする請求項１ないし請求項４のいずれかに記載のシート処理装置。
【発明の詳細な説明】
【技術分野】
【０００１】
本発明は、シート処理装置に関し、特に、シートに折り曲げ処理を施すシート処理装置に関する。
【背景技術】
【０００２】
従来のシート処理装置としては、例えば、特許文献１に記載のシート積載装置が知られている。図１２は、特許文献１に記載のシート積載装置５００を上方から平面視した図である。
【０００３】
シート積載装置５００は、断裁装置５１１及び積載トレイ５１２を備えている。断裁装置５１１は、図示しない後処理装置によって中綴じされた冊子５１４を受け取り、冊子５１４の小口を断裁して揃える。積載トレイ５１２には、断裁装置５１１から排出された複数の冊子５１４が、隣り合うもの同士が一部において重なった状態で一列に並ぶように積載される。
【０００４】
更に、シート積載装置５００では、図１２に示すように、ジョブの変わり目において、積載する冊子５１４の重なり量を小さくしている。これにより、ジョブの変わり目が明確になり、中綴じ冊子５１４を積載トレイ５１２から取り出した後の作業性が向上する。
【０００５】
しかしながら、特許文献１に記載のシート積載装置５００は、冊子５１４が隣の冊子５１４の下に潜り込むという問題を有している。図１３は、特許文献１に記載のシート積載装置５００を水平方向から平面視した図である。
【０００６】
前記の通り、シート積載装置５００では、図１２に示すように、ジョブの変わり目において、積載する冊子５１４の重なり量を小さくしている。そのため、図１３に示すように、先行の冊子５１４の間に後続の冊子５１４が潜り込んでしまうおそれがある。このような冊子５１４の潜り込みは、積載トレイ５１２におけるジャムの原因となる。
【先行技術文献】
【特許文献】
【０００７】
【特許文献１】特開２００９−１６１３４９号公報
【発明の概要】
【発明が解決しようとする課題】
【０００８】
そこで、本発明の目的は、トレイにおいて先行のシートの下に後続のシートが潜り込むことを抑制できるシート処理装置を提供することである。
【課題を解決するための手段】
【０００９】
本発明の一形態に係るシート処理装置は、シートに対して折り曲げ処理を施す処理手段と、前記処理手段から出力されてくる前記シートが載置されるトレイと、前記トレイ上の前記シートを所定方向に搬送する搬送手段と、同一のジョブにおいて第１のシートと第２のシートとが順に前記トレイに出力されてきた場合には、該第１のシートと該第２のシートとが一部において重なった状態で前記所定方向に並ぶように前記搬送手段を駆動させると共に、異なるジョブにまたがって第１のシートと第２のシートとが順に該トレイに出力されてきた場合には、該第１のシートと該第２のシートとが重ならない状態で該所定方向に並ぶように該搬送手段を駆動させる制御手段と、を備えていること、を特徴とする。
【発明の効果】
【００１０】
本発明によれば、トレイにおいて先行のシートの下に後続のシートが潜り込むことを抑制できる。
【図面の簡単な説明】
【００１１】
【図１】シート処理装置の構成図である。
【図２】シート処理装置に含まれている処理部及びトレイの構成を示した図である。
【図３】トレイを上方から平面視した図である。
【図４】用紙に対して二つ折り処理を施す際の処理部を示した図である。
【図５】用紙に対して三つ折り処理を施す際の処理部を示した図である。
【図６】複数の用紙が載置されたトレイを示した図である。
【図７】用紙に折り曲げ処理が施される際に、制御部が行う処理を示したフローチャートである。
【図８】トレイ上の用紙が搬送される様子を示した図である。
【図９】トレイ上の用紙が搬送される様子を示した図である。
【図１０】トレイ上の用紙が搬送される様子を示した図である。
【図１１】トレイ上の用紙が搬送される様子を示した図である。
【図１２】特許文献１に記載のシート積載装置を上方から平面視した図である。
【図１３】特許文献１に記載のシート積載装置を水平方向から平面視した図である。
【発明を実施するための形態】
【００１２】
以下に、本発明の一実施形態に係るシート処理装置について図面を参照しながら説明する。
【００１３】
（シート処理装置の構成）
まず、シート処理装置１０の構成について説明する。図１は、シート処理装置１０の構成図である。図２は、シート処理装置１０に含まれている処理部２０及びトレイ２２の構成を示した図である。なお、以下では、図１及び図２における右側及び左側を単に右側及び左側と呼び、図１及び図２における上側及び下側を単に上側及び下側と呼び、図１及び図２における紙面手前側及び紙面奥側を単に手前側及び奥側と呼ぶ。
【００１４】
シート処理装置１０は、複写機等の画像形成装置に接続して用いられ、画像形成装置から出力されてくる印刷済みの用紙（シート）に対して折り曲げ処理及びステープル処理等を施す。シート処理装置１０は、図１及び図２に示すように、本体１２、ローラ対１４、制御部１８、処理部２０、トレイ２２、搬送部２３（図２参照）及びセンサＳ１〜Ｓ４（図２参照）を備えている。
【００１５】
本体１２は、シート処理装置１０の筐体であり、直方体状をなしている。本体１２は、ローラ対１４、制御部１８、処理部２０及びセンサＳ１，Ｓ２を収容している。
【００１６】
ローラ対１４は、本体１２の右側の側面において本体１２から露出しており、画像形成装置から出力されてくる印刷済みの用紙を本体１２内に取り込む。ローラ対１４によって本体１２内に取り込まれた用紙は、図１に示すように、図示しないローラ対やガイドにより処理部２０に搬送される。
【００１７】
制御部１８は、例えば、ＣＰＵにより構成されており、シート処理装置１０全体の動作を制御する。
【００１８】
処理部２０は、用紙Ｐに対して折り曲げ処理（二つ折り処理又は三つ折り処理）を施し、図２に示すように、本体２１、積載トレイ２４、ストッパ２６、ローラ３０，３２，３４，３６，３８，４０、チョッパ４２、ガイド４６及び切り替え部材４８を備えている。
【００１９】
本体２１は、処理部２０の筐体であり、積載トレイ２４、ストッパ２６、ローラ３０，３２，３４，３６，３８，４０、チョッパ４２、ガイド４６、切り替え部材４８及びセンサＳ１，Ｓ２を収容している。本体１２の左側の側面には、折り曲げ処理が施された用紙Ｐが出力される複数（２つ）の排出口Ｏｐ１，Ｏｐ２が設けられている。排出口Ｏｐ１からは、二つ折り処理が施された用紙Ｐが出力される。排出口Ｏｐ２からは、三つ折り処理が施された用紙Ｐが出力される。また、本体１２の上面には、ローラ対１４により搬送されてきた用紙Ｐを取り込むための取り込み口Ｏｐ３が設けられている。
【００２０】
積載トレイ２４は、本体２１内において上下方向に延在する平板であり、右斜め上方向に向って伸びている。積載トレイ２４上には、取り込み口Ｏｐ３から取り込まれた用紙Ｐが積載される。
【００２１】
ストッパ２６は、積載トレイ２４上に積載されている複数の用紙Ｐが一致して重なるように、該複数の用紙Ｐを揃える。具体的には、ストッパ２６は、コ字型の断面構造を有しており、積載トレイ２４上に設けられている。複数の用紙Ｐは、自重により積載トレイ２４上を滑り落ちてストッパ２６に接触することにより揃えられる。なお、ストッパ２６は、積載トレイ２４上を上下方向に移動することが可能である。
【００２２】
チョッパ４２は、用紙Ｐに折り曲げ処理を施す板状部材である。チョッパ４２は、積載トレイ２４に関して、該積載トレイ２４に積載されている用紙Ｐの反対側に設けられており、積載トレイ２４の上下方向の中間点付近に位置している。チョッパ４２は、積載トレイ２４に直交する方向に移動可能に構成されており、用紙Ｐに右側から接触することにより、紙面垂直方向に延在する折り目を用紙Ｐに形成する。
【００２３】
ローラ３０，３２、３４，３６，３８，４０はそれぞれ、用紙Ｐを搬送する役割を果たす。ローラ３０，３２は、互いに対向しており、積載トレイ２４に関して、チョッパ４２の反対側に位置している。ローラ３４は、ローラ３２の左側に設けられており、該ローラ３２と対向している。ローラ３６は、ローラ３４の下側に設けられており、該ローラ３４と対向している。ローラ４０は、ローラ３４の左側に設けられており、該ローラ３４と対向している。ローラ３８は、ローラ３６の左側に設けられている。
【００２４】
ガイド４６は、コ字型の断面構造を有しており、下側に向かう開口を有している。ガイド４６は、用紙Ｐに三つ折り処理を施す際に用いられ、チョッパ４２により折り曲げられた用紙Ｐであって、ローラ３０，３２により搬送されてきた用紙Ｐの進行を停止させる。
【００２５】
切り替え部材４８は、用紙Ｐの搬送経路を切り替える部材であり、ガイド４６の下側において遥動可能に設けられている。具体的には、図２の実線に示す切り替え部材４８は、用紙Ｐをガイド４６内に導く。図２の点線に示す切り替え部材４８は、用紙Ｐを排出口Ｏｐ２へと導く。
【００２６】
センサＳ１，Ｓ２はそれぞれ、処理部２０において、用紙Ｐが出力される排出口Ｏｐ１，Ｏｐ２近傍に設けられ、用紙Ｐを検知する。具体的には、センサＳ１，Ｓ２は、用紙ＰがセンサＳ１，Ｓ２の前を通過している期間にはＯＮ状態となり、用紙ＰがセンサＳ１，Ｓ２の前を通過していない期間にはＯＦＦ状態となる。
【００２７】
トレイ２２は、処理部２０から出力されてくる用紙Ｐが載置され、図２に示すように、本体５０、検知部材６０及びストッパ板６２を含んでいる。図３は、トレイ２２を上方から平面視した図である。図３では、図１及び図２における右側・左側・上側・下側・手前側・奥側を矢印で示してある。
【００２８】
本体５０は、図３に示すように、上方から平面視したときに、長方形上の板であり、図２に示すように、排出口Ｏｐ２の下側から左斜め上方に向かって延在している。本体５０上には、複数の用紙Ｐが載置される。
【００２９】
搬送部２３は、トレイ２２上の用紙Ｐを左方向に搬送し、図２及び図３に示すように、ベルト５２，５４、プーリー５６，５８及びモータ（図示せず）を含んでいる。
【００３０】
プーリー５６，５８はそれぞれ、本体５０内において、本体５０の右端及び左端に設けられている。ベルト５２，５４はそれぞれ、プーリー５６，５８に巻きつけられている。ベルト５２，５４は、図３に示すように、本体５０の上面において露出しており、左右方向に平行に延在している。ベルト５２は、ベルト５４よりも手前側に設けられている。モータは、プーリー５６に接続されており、プーリー５６を反時計回りに回転させる。これにより、ベルト５２，５４は、図３に示すように、本体５０の上面において左方向へと移動する。よって、トレイ２２上の用紙Ｐは、左方向へと搬送される。
【００３１】
センサＳ３は、本体５０の右端近傍に設けられ、トレイ２２に出力されてきた用紙Ｐの後端を検知する。具体的には、センサＳ３は、本体５０の右端から所定距離だけ左側に離れた位置に設けられている。そして、センサＳ３は、用紙ＰがセンサＳ３の前を通過している期間にはＯＮ状態となり、用紙ＰがセンサＳ３の前を通過していない期間にはＯＦＦ状態となる。すなわち、センサＳ３は、ＯＮ状態からＯＦＦ状態に切り換わることによって、用紙Ｐの後端を検知している。
【００３２】
検知部材６０は、図２に示すように、センサＳ３よりも左側（より正確には、本体５０の左端近傍）に設けられており、遥動可能に本体５０に取り付けられている。そして、検知部材６０は、図２の実線に示すように、本体５０の上面から突出している状態と、図２の点線に示すように、本体５０の上面から突出していない状態とを取ることができる。
【００３３】
センサＳ４は、センサＳ３よりも左側に設けられ、検知部材６０の状態を検知している。より詳細には、センサＳ４は、検知部材６０の下に設けられ、検知部材６０が図２の実線に示すように本体５０の上面から突出している状態では、ＯＮ状態となる。一方、センサＳ４は、検知部材６０が図２の点線に示すように本体５０の上面から突出していない状態では、ＯＦＦ状態となる。すなわち、検知部材６０が用紙Ｐによって押さえつけられた状態では、センサＳ４はＯＦＦ状態となり、検知部材６０が用紙Ｐによって押さえつけられていない状態では、センサＳ４はＯＮ状態となる。これにより、センサＳ４は、用紙Ｐの有無を検知している。
【００３４】
ストッパ板６２は、本体５０の左端に遥動可能に取り付けられており、搬送部２３により搬送されてきた用紙Ｐが本体５０から落下することを防止する板である。より詳細には、ストッパ板６２は、図２の実線に示すように、本体５０の下方に位置している状態と、図２の点線に示すように、本体５０の上方に位置している状態とを取ることができる。ストッパ板６２は、本体５０の上方に位置しているときには、用紙Ｐがストッパ板６２よりも左側に進行することを妨げる。これにより、ストッパ板６２は、用紙Ｐが本体５０から落下することを防止する。一方、ストッパ板６２は、本体５０の下方に位置しているときには、用紙Ｐが本体５０から落下することを防止しない。この場合には、本体５０の左端の下方にボックスＢを配置して、本体５０から落下してくる用紙ＰをボックスＢにより回収する。
【００３５】
（折り曲げ処理について）
次に、処理部２０が行う折り曲げ処理について図面を参照しながら説明する。処理部２０は、用紙Ｐを二つ折りにする二つ折り処理と用紙Ｐを三つ折りにする三つ折り処理とを行うことができる。図４は、用紙Ｐに対して二つ折り処理を施す際の処理部２０を示した図である。図５は、用紙Ｐに対して三つ折り処理を施す際の処理部２０を示した図である。
【００３６】
まず、二つ折り処理について説明する。二つ折り処理の際には、ストッパ２６は、図２及び図４に示すように、積載トレイ２４の下端に位置する。これにより、チョッパ４２は、上下方向において用紙Ｐの中点に位置するようになる。また、切り替え部材４８は、図４に示すように、ガイド４６の開口を閉鎖している。
【００３７】
チョッパ４２は、用紙Ｐに右側から接触し、用紙Ｐの上下方向の中点に折り目を形成し、ローラ３０，３２間へと用紙Ｐを押し込む。ローラ３０，３２はそれぞれ、時計回り及び反時計回りに回転している。これにより、図４に示すように、用紙Ｐは、二つ折り処理が施された状態で、ローラ３０，３２から出力される。この後、用紙Ｐは、反時計回りに回転しているローラ４０により搬送されながら、ガイド４８によって排出口Ｏｐ１へと導かれる。そして、用紙Ｐは、排出口Ｏｐ１からトレイ２２へと出力される。
【００３８】
次に、三つ折り処理について説明する。三つ折り処理の際には、ストッパ２６は、図５に示すように、積載トレイ２４の下から１／３の位置に位置する。これにより、チョッパ４２は、用紙Ｐの下から１／３の位置に位置するようになる。また、切り替え部材４８は、図５に示すように、ガイド４６の開口を開放している。
【００３９】
チョッパ４２は、用紙Ｐに右側から接触し、用紙Ｐの下から１／３の位置に折り目を形成し、ローラ３０，３２間へと用紙Ｐを押し込む。用紙Ｐは、ローラ３０，３２に搬送されながら、切り替え部材４８に導かれて、ガイド４６内に進入する。そして、用紙Ｐの先端がガイド４６の奥に接触すると、用紙Ｐは、左方向への進行を停止する。ただし、ローラ３０，３２が回転しているので、用紙Ｐは、下方に撓んで図５に示すように、ローラ３２，３４間に侵入する。ここで、ローラ３４は、時計回りに回転している。そのため、用紙Ｐは、ローラ３２，３４により下方に搬送される。この際、用紙Ｐは、上から１／３の位置に折り目が形成される。すなわち、用紙Ｐに三つ折り処理が施される。この後、用紙Ｐは、ローラ３６，３８により搬送され、排出口Ｏｐ２からトレイ２２へと出力される。
【００４０】
（処理装置の動作について）
以下に、シート処理装置１０の動作について図面を参照しながら説明する。図６は、複数の用紙Ｐが載置されたトレイ２２を示した図である。図７は、用紙Ｐに折り曲げ処理が施される際に、制御部１８が行う処理を示したフローチャートである。図８ないし図１１は、トレイ２２上の用紙Ｐ１，Ｐ２が搬送される様子を示した図である。
【００４１】
シート処理装置１０は、トレイ２２において先行の用紙Ｐの下に後続の用紙Ｐが潜り込むことを抑制するために、概略以下の動作を行う。具体的には、制御部１８は、図６に示すように、同一のジョブＪ１において２つの用紙Ｐが順にトレイ２２に出力されてきた場合には、先行の用紙Ｐと後続の用紙Ｐとが一部において重なった状態で左から右に並ぶように搬送部２３を駆動させる。一方、制御部１８は、図６に示すように、異なるジョブＪ１，Ｊ２に跨って２つのシートが順にトレイ２２に出力されてきた場合には、先行の用紙Ｐと後続の用紙Ｐとが重ならない状態で左から右に並ぶように搬送部２３を駆動させる。これにより、ジョブＪ１，Ｊ２の切り替わりにおいて、先行の用紙Ｐの下に後続の用紙Ｐが潜り込むことを抑制している。
【００４２】
まず、制御部１８は、図示しない画像形成装置からジョブを受け付ける（ステップＳ１）。ジョブとは、１つの印刷指示によって、１以上の用紙Ｐに画像形成装置が印刷を行った後に、印刷済みの１以上の用紙Ｐにシート処理装置１０が折り曲げ処理を施す一連の処理を指す。これにより、シート処理装置１０には、印刷済みの１以上の用紙Ｐが画像形成装置から順次出力されてくる。
【００４３】
次に、制御部１８は、処理部２０に用紙Ｐ２に対して折り曲げ処理を行わせる（ステップＳ２）。用紙Ｐ２に二つ折り処理を行うのか三つ折り処理を行うのかは、ジョブに基づいて決定される。なお、折り曲げ処理の詳細については、すでに説明を行ったのでこれ以上の説明を省略する。また、トレイ２２上には図８に示すように、用紙Ｐ２と同一ジョブにおいてすでに折り曲げ処理が施された用紙Ｐ１がすでに出力されているものとする。そして、用紙Ｐ１の後端は、センサＳ３上に位置している。ただし、用紙Ｐ２がジョブにおいて最初に折り曲げ処理が施される用紙である場合には、用紙Ｐ１は存在しない。
【００４４】
次に、制御部１８は、センサＳ１又はセンサＳ２が用紙Ｐ２を検知したか否かを判定する（ステップＳ３）。センサＳ１又はセンサＳ２が用紙Ｐ２を検知した場合には、本処理はステップＳ４に進む。一方、センサＳ１又はセンサＳ２が用紙Ｐ２を検知しなかった場合には、本処理はステップＳ３に戻る。
【００４５】
センサＳ１又はセンサＳ２が用紙Ｐ２を検知した場合、制御部１８は、搬送部２３を駆動させる（ステップＳ４）。すなわち、制御部１８は、センサＳ１又はセンサＳ２が用紙Ｐ２を検知したことに応じて、搬送部２３にトレイ２２上の用紙Ｐ１の搬送を開始させる。これにより、トレイ２２上の用紙Ｐ１は、図８に示すように、右から左へと搬送される。
【００４６】
次に、制御部１８は、センサＳ３が用紙Ｐの後端を検知したか否かの判定を行う（ステップＳ５）。より詳細には、折り曲げ処理が施された用紙Ｐ２は、排出口Ｏｐ１又は排出口Ｏｐ２からトレイ２２に出力される。このとき、用紙Ｐ２は、図９に示すように、用紙Ｐ１に対して一部分において重なると共に、センサＳ３を覆う。ただし、搬送部２３が駆動しているので、用紙Ｐ１，Ｐ２は、右から左へと搬送される。そして、用紙Ｐ２の後端は、図１０に示すように、センサＳ３上を通過する。この際、センサＳ３は、ＯＮ状態からＯＦＦ状態へと切り換わる。制御部１８は、センサＳ３がＯＮ状態からＯＦＦ状態へと切り替わったか否かを判定することにより、センサＳ３が用紙Ｐ２の後端を検知したか否かを判定する。センサＳ３が用紙Ｐ２の後端を検知した場合には、本処理はステップＳ６に進む。一方、センサＳ３が用紙Ｐ２の後端を検知しない場合には、本処理はステップＳ５に戻る。
【００４７】
センサＳ３が用紙Ｐ２の後端を検知した場合、制御部１８は、搬送部２３の駆動を停止させる（ステップＳ６）。すなわち、制御部１８は、センサＳ３が用紙Ｐ２の後端を検知したことに応じてトレイ２２上の用紙Ｐ１の搬送を停止させる。ステップＳ４〜Ｓ６において、用紙Ｐ１は、用紙Ｐ２よりも距離Ｄ１（図６参照）だけ多く搬送される。これにより、図６及び図１０に示すように、同一のジョブにおいて用紙Ｐ１，Ｐ２が順にトレイ２２に出力されてきた場合には、用紙Ｐ１，Ｐ２が左右方向に距離Ｄ１だけずらされた状態で並ぶようになる。
【００４８】
次に、制御部１８は、ジョブが終了したか否かを判定する（ステップＳ７）。ジョブが終了した場合には、本処理はステップＳ８に進む。ジョブが終了していない場合には、本処理はステップＳ２に戻る。この場合には、制御部１８は、用紙Ｐ２の次の用紙Ｐ３に対してステップＳ２〜Ｓ７の処理を実行する。
【００４９】
ジョブが終了した場合、制御部１８は、次のジョブが存在するか否かを判定する（ステップＳ８）。次のジョブが存在する場合には、本処理はステップＳ９に進む。次のジョブが存在しない場合には、本処理は終了する。
【００５０】
次のジョブが存在する場合、制御部１８は、搬送部２３を駆動させる（ステップＳ９）。これにより、トレイ２２上の用紙Ｐ１，Ｐ２は、図１１に示すように、左側へと搬送される。
【００５１】
次に、制御部１８は、搬送部２３を駆動させてから所定時間が経過したか否かを判定する（ステップＳ１０）。所定時間が経過した場合には、本処理はステップＳ１１に進む。所定時間が経過していない場合には、本処理はステップＳ１０に戻る。
【００５２】
所定時間が経過した場合、制御部１８は、搬送部２３の駆動を停止させる（ステップＳ１１）。これにより、用紙Ｐ１，Ｐ２が停止する。ステップＳ８〜Ｓ１０において、制御部１８は、用紙Ｐ１とは異なるジョブにおいて処理部２０が用紙Ｐ２に対して折り曲げ処理を施す場合には、用紙Ｐ１，Ｐ２を搬送部２３に距離Ｄ２（図６参照）と距離Ｄ１の差に想到する距離だけ搬送させる。この後、本処理はステップＳ１に戻り、次のジョブを実行する。次のジョブにおいて、新たな用紙Ｐ３がトレイ２２出力されてくると、図６に示すように、先行のジョブにおいて最後に出力された用紙Ｐ（ここでは用紙Ｐ２）の先端と後続のジョブにおいて最初に出力された用紙Ｐ（ここでは用紙Ｐ３）の先端との間の距離は、距離Ｄ２となる。距離Ｄ２は、折り曲げ処理が施された用紙Ｐの左右方向の長さよりも長い。そのため、図６に示すように、先行のジョブにおいて最後に出力された用紙Ｐ（ここでは用紙Ｐ２）の後端と後続のジョブにおいて最初に出力された用紙Ｐ（ここでは用紙Ｐ３）の先端との間には、隙間Ｓｐが形成される。
【００５３】
（効果）
以上のように構成されたシート処理装置１０は、トレイ２２において先行の用紙Ｐの下に後続の用紙Ｐが潜り込むことを抑制できる。より詳細には、制御部１８は、図６に示すように、同一のジョブＪ１又はジョブＪ２において２つの用紙Ｐが順にトレイ２２に出力されてきた場合には、先行の用紙Ｐと後続の用紙Ｐとが一部において重なった状態で右から左に並ぶように搬送部２３を駆動させる。一方、制御部１８は、図６に示すように、異なるジョブＪ１，Ｊ２に跨って２つのシートが順にトレイ２２に出力されてきた場合には、先行の用紙Ｐと後続の用紙Ｐとが重ならない状態で左から右に並ぶように搬送部２３を駆動させる。これにより、ジョブＪ１，Ｊ２の切り替わりを明確にするために、先行の用紙Ｐと後続の用紙Ｐとの間隔を通常よりも大きくしたとしても、先行の用紙Ｐの下に後続の用紙Ｐが潜り込むことが抑制される。
【００５４】
ここで、本実施形態に係るシート処理装置１０では、制御部１８は、前記のような動作を搬送部２３に行わせるために、以下に説明する制御を実行している。具体的には、制御部１８は、処理部２０から用紙Ｐがトレイ２２に出力されてくる度に、搬送部２３にトレイ２２上の用紙Ｐを搬送させる。これにより、用紙Ｐが図６に示すようにずらされた状態で左から右に並ぶようになる。そして、シート処理装置１０では、異なるジョブにまたがって用紙Ｐ１と用紙Ｐ２とが順にトレイ２２に出力されてきた場合に用紙Ｐ１が出力されてから用紙Ｐ２が出力されてくるまでに搬送部２３が用紙Ｐ１を搬送する距離は、同一のジョブにおいて用紙Ｐ１，Ｐ２が順にトレイ２２に出力されてきた場合に用紙Ｐ１が出力されてから用紙Ｐ２が出力されてくるまでに搬送部２３が用紙Ｐ１を搬送する距離よりも長い。これにより、用紙Ｐ１の後端と用紙Ｐ２の前端との間に隙間Ｓｐ（図６参照）が形成される。すなわち、用紙Ｐ１と用紙Ｐ２とが重ならない。
【００５５】
（その他の実施形態）
本発明に係るシート処理装置は前記実施形態に係るシート処理装置１０に限らず、その要旨の範囲内において変更可能である。
【００５６】
シート処理装置１０は、図２に示すように、検知部材６０及びセンサＳ４を備えている。検知部材６０及びセンサＳ４は、異なるジョブにおいて順に出力されてきた用紙Ｐ１と用紙Ｐ２との間の隙間Ｓｐを検知することができる。そして、制御部１８は、検知部材６０及びセンサＳ４が用紙Ｐ１と用紙Ｐ２との間の隙間Ｓｐを検知した場合には、搬送部２３の動作を停止させる。これにより、トレイ２２上に複数のジョブの用紙Ｐが載置されている場合であっても、ボックスＢに複数のジョブの用紙Ｐが混ざった状態で収容されることが抑制される。なお、制御部１８は、搬送部２３の動作を一時停止してもよい。
【００５７】
なお、前記実施形態では、用紙Ｐが１枚の用紙からなるとして説明を行った。しかしながら、用紙Ｐは、複数枚の用紙からなる用紙束であってもよい。
【産業上の利用可能性】
【００５８】
本発明は、シート処理装置に有用であり、特に、トレイにおいて先行のシートの下に後続のシートが潜り込むことを抑制できる点において優れている。
【符号の説明】
【００５９】
Ｏｐ１，Ｏｐ２  排出口
Ｓ１〜Ｓ４  センサ
１０  シート処理装置
１２  本体
１８  制御部
２０  処理部
２１  本体
２２  トレイ
２３  搬送部
２４  積載トレイ
２６  ストッパ
４２  チョッパ
５０  本体
５２，５４  ベルト
５６，５８  プーリー
６０  検知部材
６２  ストッパ板
【図１】
2012126519.tif 000003
【図２】
2012126519.tif 000004
【図３】
2012126519.tif 000005
【図４】
2012126519.tif 000006
【図５】
2012126519.tif 000007
【図６】
2012126519.tif 000008
【図７】
2012126519.tif 000009
【図８】
2012126519.tif 000010
【図９】
2012126519.tif 000011
【図１０】
2012126519.tif 000012
【図１１】
2012126519.tif 000013
【図１２】
2012126519.tif 000014
【図１３】
2012126519.tif 000015